(57)【要約】【課題】      回り止めピンを細く加工すること無くスプ−ル軸に着脱可能に保持して回り止めピンの変形を防止した魚釣用スピニングリ−ルを提供することである。【解決手段】  スプ−ル軸３の太径部３ａに軸方向と交差する透孔３ｅが形成され、透孔３ｅに回り止めピン５が挿入されてスプ−ル軸３外周にスプ−ル４の軸筒部４ａが嵌合されて軸筒部４ａの後端には軸方向と交差する切欠きが形成されて切欠きの内側を係合部４ｂとし、軸筒部４ａの中心には透孔４ｃと後側に透孔４ｅが形成され、透孔４ｅ内にはコイルバネ１８とカラ−部材６が挿入されてカラ−部材６はナイロン、ゴム等の弾性を有する材料で筒部６ａに中心孔６ｂが形成されると共に軸方向と交差する透孔６ｃと切欠き６ｄが形成され、切欠き６ｄの幅は回り止めピン５の外径や透孔６ｃの内径より狭く形成されている。【選択図】        図３
2006087357.tif 000002
【特許請求の範囲】
【請求項１】
リ−ル本体に支持されたスプ−ル軸と、前記スプ−ル軸に支持される軸筒部を有し、前記スプ−ル軸に対して着脱可能なスプ−ルを備え、前記スプ−ル軸に回り止めピンを取付けると共に、前記軸筒部の後方側端部近傍に前記回り止めピンと係合する係合部を設け、前記回り止めピンと前記係合部とが係合することで前記スプ−ル軸に対して前記スプ−ルを回転不能に支持した魚釣用スピニングリ−ルにおいて、前記回り止めピンを補強するカラ−部材を前記係合部における軸筒部とスプ−ル軸間に配置したことを特徴とする魚釣用スピニングリ−ル。
【請求項２】
前記カラ−部材は前記回り止めピンの位置決めを兼ねることを特徴とする請求項１記載の魚釣用スピニングリ−ル。
【請求項３】
前記カラ−部材は前記回り止めピン又はスプ−ル軸の少なくとも何れか一方に対して弾性係止されることを特徴とする請求項１又は２記載の魚釣用スピニングリ−ル。
【発明の詳細な説明】
【技術分野】
【０００１】
本発明は、スプ−ル軸とスプ−ルの軸筒部を連結する回り止めピンの変形を抑止した魚釣用スピニングリ−ルの改良に関する。
【背景技術】
【０００２】
従来、魚釣用スピニングリ−ルはハンドルの巻取り駆動で回転するロ−タの支持腕に取付られた釣糸案内装置を介して釣糸をスプ−ルに巻回保持する構成である。
また、スプ−ル軸に対してスプ−ルを着脱可能かつ回転不能状態に保持する構成は公知であり、前記スプ−ル軸に対してスプ−ルを回り止め固定する手段として、スプ−ルに形成された軸筒部に係合部を設け、スプ−ル軸に固定された回り止めピンに前記係合部を係合させる構成は一般的に用いられている。
前記回り止めピンはスプ−ル軸に圧入によって固定されているのが一般的であるが、ピンをスプ−ル軸に圧入固定すると、リ−ルを分解する際、特にロ−タを取り外す際にスプ−ル軸を取り外す必要があり、ロ−タを外すだけでメンテナンスが可能な場合でもリ−ル本体を分解する必要があり非常に煩わしい。
前記不具合を解消するべく、特許文献１や２に見られるように、前記回り止めピンをスプ−ル軸に対して着脱可能に取付固定するべく、スプ−ル軸へ取付後にＯリングやリテ−ナ−等で脱落防止した構成は公知である。
【特許文献１】実用新案登録第２６０３１２３号公報
【特許文献２】実用新案登録第２５４９７８６号公報
【０００３】
しかし、前記の如く着脱が可能な回り止めピンの構成は以下に述べる不具合が生じる。
前記スプ−ルの軸筒部後端近傍の内周径は、前記スプ−ル軸と係合をスム−ズにする為、スプ−ル軸の外径より若干大きく形成されており、そのため、前記軸筒部後端近傍に形成される係合部とスプ−ル軸との間には所定の隙間が形成される。
ところが、前記隙間が形成されると、前記回り止めピンにおける前記隙間に位置する部分に周方向の壁が無くなり、スプ−ルにラジアル方向の荷重が加わると回り止めピンが変形する不具合が生じる。
特に特許文献１や２の如く、回り止めピンにＯリングの係合する溝を加工等で形成すると、前記溝部分の径が細くなり回り止めピンの変形による不具合が更に生じ易くなるため、対策が望まれている。
【発明の開示】
【発明が解決しようとする課題】
【０００４】
解決しようとする問題点は、回り止めピンと係合する係合部におけるスプ−ル軸と軸筒部間に生じる隙間の影響で回り止めピンの変形が生じ易くなること、特に回り止めピンの容易な着脱の実現の為に、回り止めピンにＯリングの係合する溝を加工等で形成すると、前記溝部分の径が細くなり回り止めピンの変形による不具合が生じ易くなることである。
【０００５】
本発明の目的は前記欠点に鑑み、回り止めピンを細く加工すること無く容易に着脱可能に保持しかつ、回り止めピンを補強して回り止めピンの変形を防止した魚釣用スピニングリ−ルを提供することである。
【課題を解決するための手段】
【０００６】
本発明の請求項１は、リ−ル本体に支持されたスプ−ル軸と、前記スプ−ル軸に支持される軸筒部を有し、前記スプ−ル軸に対して着脱可能なスプ−ルを備え、前記スプ−ル軸に回り止めピンを取付けると共に、前記軸筒部の後方側端部近傍に前記回り止めピンと係合する係合部を設け、前記回り止めピンと前記係合部とが係合することで前記スプ−ル軸に対して前記スプ−ルを回転不能に支持した魚釣用スピニングリ−ルにおいて、前記回り止めピンを補強するカラ−部材を前記係合部における軸筒部とスプ−ル軸間に配置したことを要旨とするものである。
本発明の請求項２は、前記カラ−部材は前記回り止めピンの位置決めを兼ねることを要旨とするものである。
本発明の請求項３は、前記カラ−部材は前記回り止めピン又はスプ−ル軸の少なくとも何れか一方に対して弾性係止されることを要旨とするものである。
【発明の効果】
【０００７】
本発明の請求項１によれば、スプ−ル軸にスプ−ルを容易に組み付ける為に軸筒部とスプ−ル軸間に隙間を形成しても、係合部近傍の隙間をカラ−部材が閉塞することで、スプ−ルにラジアル方向の荷重が掛かることで生じる回り止めピンの変形をカラ−部材で抑止することが出来る。
本発明の請求項２によれば、回り止めピンの位置決めをカラ−部材が兼用することで、ピンに抜け止め部材組み付け用の溝加工や圧入固定部の加工が不要となり、加工費が低減されると同時に、カラ−部材の着脱で容易に回り止めピンをスプ−ル軸から取り外すことが可能となり、分解が容易となる。
本発明の請求項３によれば、カラ−部材を回り止めピン又はスプ−ル軸に対して弾性係止することで、スプ−ル取り外し時にカラ−部材の脱落することを防ぐと同時に分解時に特殊な工具が不要となるので、メンテナンス作業が容易となる。
【発明を実施するための最良の形態】
【０００８】
魚釣用スピニングリ−ルは、スプ−ル軸３の太径部３ａに軸方向と交差する透孔３ｅが形成され、透孔３ｅに回り止めピン５が挿入されてスプ−ル軸３外周にスプ−ル４の軸筒部４ａが嵌合されている。
回り止めピン５には鍔部５ａが形成されている。
スプ−ル４の軸筒部４ａの後端には軸方向と交差する回り止めピン５の外径が挿入可能な切欠き状の係合部４ｂが設けられている。
軸筒部４ａの中心にはスプ−ル軸３の太径部３ａが嵌合される透孔４ｃと、先端の凹部４ｄと、後側に太径部３ａより太径の透孔４ｅが夫々形成されている。
透孔４ｅ内にはコイルバネ１８とカラ−部材６が挿入されている。
カラ−部材６はナイロン、ポリアセタ−ル（ＰＯＭ）、ポリエチレンテレフタレ−ト（ＰＥＴ）、ポリプチレンテレフタレ−ト（ＰＢＴ）、ポリカ−ボネイト（ＰＣ）、ポリフェニレンサルファイド（ＰＰＳ）等の合成樹脂及びウレタン系エラストマ−、オレフィン系エラストマ−（ＴＰＯ）等のゴム系材料の如く、弾性を有する材料で筒部６ａに中心孔６ｂが形成されると共に回り止めピン５が挿通される軸方向と交差する透孔６ｃと切欠き６ｄと鍔部５ａが嵌まるスペ−ス６ｅが形成されている。
切欠き６ｄの幅は回り止めピン５の外径や透孔６ｃの内径より狭く形成されている。
【実施例１】
【０００９】
以下、図示の実施例によって本発明を説明すると、図１から図６は第１実施例で、図１は魚釣用スピニングリ−ルの要部断面側面図、図２はスプ−ルの拡大要部断面側面図、図３はスプ−ルの更に要部拡大断面側面図、図４はスプ−ル軸と軸筒部とカラ−部材断面の背面図、図５はスプ−ル軸と軸筒部の拡大側面図、図６はスプ−ル軸と軸筒部とカラ−部材の他の拡大要部断面側面図である。
【００１０】
リ−ル本体１の前側に突出した図示しない回転軸筒にロ−タ２が取り付けられて図示しない駆動歯車を介してハンドル１０で回転される。
図示しない回転軸筒の中を挿通されたスプ−ル軸３の先端にスプ−ル４の軸筒部４ａが着脱可能に嵌合されている。
ロ−タ２は図示しない筒部で図示しない回転軸筒に取り付けられ、大径の筒部２ａと大径の筒部２ａの基部の外周から前方に向けて突出された一対の支持腕２ｂ、２ｃとで形成されている。
一対のベ−ル支持腕２ｂ、２ｃに夫々一方のベ−ル支持部材１１と他方のベ−ル支持部材１２が取り付けられて釣糸巻取状態と放出状態に反転自在に軸承されている。
一方のベ−ル支持部材１１にはロ−ラからなる釣糸案内部１３の取付部１４が取り付けられている。
他方のベ−ル支持部材１２と釣糸案内部１３の取付部１４の間にベ−ル１５が取り付けられている。
【００１１】
スプ−ル軸３はリ−ル本体１内に設けられた図示しないオシレ−ト機構で前後に往復動されると共に、スプ−ル軸３の後端はリ−ル本体１の後側に設けられたリヤドラグ装置のツマミ１６で制動力が調節される。
スプ−ル軸３の先側は太径部３ａと、太径部３ａの前側に設けられた小径部である周溝３ｂと、傾斜面３ｃで構成された台形部３ｄとが形成されている。
スプ−ル軸３の太径部３ａに軸方向と交差する透孔３ｅが形成され、透孔３ｅに回り止めピン５が挿入されて、スプ−ル軸３外周にスプ−ル４の軸筒部４ａが嵌合されている。
回り止めピン５には鍔部５ａが形成されている。
【００１２】
スプ−ル４の軸筒部４ａの後端には軸方向と交差する回り止めピン５の外径が挿入可能な切欠きが形成されて切欠きの内側を係合部４ｂとする。
軸筒部４ａの中心にはスプ−ル軸３の太径部３ａが嵌合される透孔４ｃと、先端の凹部４ｄと、後側に太径部３ａより太径の透孔４ｅが夫々形成されている。
スプ−ル４の外形は図示しない釣糸が巻回される釣糸巻回胴部４ｆと、前側の鍔部４ｇと、後側の大径の筒部４ｈとで形成されている。
スプ−ル４の前部にはカバ−１７が取り付けられている。
カバ−１７より内側の前部に凹部４ｉが、凹部４ｉの内周にネジ部４ｊと浅い２段の凹部４ｋ、４ｍと、凹部４ｍより小径の凹部４ｎが形成されている。
透孔４ｅ内にはコイルバネ１８とカラ−部材６が挿入されている。
【００１３】
カラ−部材６はナイロン、ポリアセタ−ル（ＰＯＭ）、ポリエチレンテレフタレ−ト（ＰＥＴ）、ポリプチレンテレフタレ−ト（ＰＢＴ）、ポリカ−ボネイト（ＰＣ）、ポリフェニレンサルファイド（ＰＰＳ）等の合成樹脂及びウレタン系エラストマ−、オレフィン系エラストマ−（ＴＰＯ）等のゴム系材料の如く、ゴム等の弾性を有する材料で筒部６ａに中心孔６ｂが形成されると共に回り止めピン５が挿通される軸方向と交差する透孔６ｃと切欠き６ｄと鍔部５ａが嵌まるスペ−ス６ｅが形成されている。
切欠き６ｄの幅は回り止めピン５の外径や透孔６ｃの内径より狭く形成されている。
【００１４】
カラ−部材６が軸筒部４ａの透孔４ｅ内のスプ−ル軸３の太径部３ａ外周に配置される時は、回り止めピン５が挿入されていない太径部３ａ外周にカラ−部材６が嵌合される。
その後回り止めピン５が透孔３ｅに挿入され、カラ−部材６が回り止めピン５に押し付けられて切欠き６ｄから透孔６ｃの中に回り止めピン５が嵌合される。
その後軸筒部４ａの透孔４ｅ内にコイルバネ１８が挿入されて後スプ−ル軸３が挿入される。
コイルバネ１８は省略してもよい。
【００１５】
スプ−ル４のネジ部４ｊにはキャップ７の大径の鍔部７ａ後側の筒部７ｂ外周のネジ部７ｃが螺合され、凹部４ｋ内にワッシャ−１９が挿入されてキャップ７で挟まれている。
凹部４ｍ内には発条からなる係合部材８が周方向に遊動可能に挿入されている。
前記キャップ７の筒孔７ｄ内には押しボタンからなる押圧操作部材９が前後に進退自在に嵌合されている。
係合部材８は２本の平行の折曲部と円周部がクリップ状に一体に形成されている。
係合部材８と押圧操作部材９でスプ−ル４の着脱装置が構成されている。
【００１６】
キャップ７の筒孔７ｄ内一側には数条の軸方向の溝からなる係止部７ｅが形成されている。
押圧操作部材９は外周筒部９ａが筒孔７ｄ内に嵌合され、筒部９ａに係合部９ｂが突出形成されて係止部７ｅに係合されている。
押圧操作部材９の後部には円筒部９ｃが突出形成され、円筒部９ｃの上下に傾斜面９ｄ、９ｄで尖頭部９ｅが形成されている。
尖頭部９ｅの先端は前記係合部材８の２本の平行の折曲部の間隔より狭く形成されている。
スプ−ル４がスプ−ル軸３から外される時は、押圧操作部材９が押し込まれて尖頭部９ｅの前側の傾斜面９ｄ、９ｄで係合部材８が押し広げられて離脱可能になる。
【００１７】
前記のようにスプ−ル４の軸筒部４ａの透孔４ｅ内のスプ−ル軸３の太径部３ａ外周にカラ−部材６が配置されて回り止めピン５がカラ−部材６の透孔６ｃの中に嵌合されると、スプ−ル軸３にスプ−ル４を容易に組み付ける為に軸筒部４ａとスプ−ル軸３間に隙間を形成しても、係合部４ｂ近傍の隙間をカラ−部材６が閉塞することができる。
回り止めピン５の位置決めをカラ−部材６が兼用することで、ピンに抜け止め部材組み付け用の溝加工や圧入固定部の加工が不要となる。
カラ−部材６の着脱で容易に回り止めピン５をスプ−ル軸３から取り外すことが可能となる。
カラ−部材６を回り止めピン５又はスプ−ル軸３に対して弾性係止することで、スプ−ル４取り外し時にカラ−部材６の脱落を防ぐことができる。
【００１８】
前記のように魚釣用スピニングリ−ルが構成されると、スプ−ル軸３にスプ−ル４を容易に組み付ける為に軸筒部４ａとスプ−ル軸３間に隙間を形成しても、係合部４ｂ近傍の隙間をカラ−部材６が閉塞することで、スプ−ル４にラジアル方向の荷重が掛かることで生じる回り止めピン５の変形をカラ−部材６で抑止することが出来る。
回り止めピン５の位置決めをカラ−部材６が兼用することで、回り止めピンに抜け止め部材組み付け用の溝加工や圧入固定部の加工が不要となり、加工費が低減されると同時に、カラ−部材６の着脱で容易に回り止めピン５をスプ−ル軸３から取り外すことが可能となり、分解が容易となる。
カラ−部材６を回り止めピン５又はスプ−ル軸３に対して弾性係止することで、スプ−ル４取り外し時にカラ−部材６の脱落することを防ぐと同時に分解時に特殊な工具が不要となるので、メンテナンス作業が容易となる。
【実施例２】
【００１９】
図７は第２実施例で、図７はスプ−ル軸と軸筒部とカラ−部材の他の拡大要部断面側面図である。
【００２０】
第２実施例では、スプ−ル軸３の太径部３ａの透孔３ｅに回り止めピン５が挿入された後に、カラ−部材６がスプ−ル軸３の先端側から挿入されている。
他の構成は前記第１実施例と略同一である。
【実施例３】
【００２１】
図８から図１０は第３実施例で、図８はスプ−ル軸と軸筒部とカラ−部材の拡大要部断面側面図、図９はスプ−ル軸と軸筒部とカラ−部材の他の拡大要部側面図、図１０はカラ−部材の平面図である。
【００２２】
第３実施例では、カラ−部材６′は筒部６ａに中心孔６ｂが形成されると共に回り止めピン５が挿通される軸方向と交差する透孔６ｃと切欠き６ｄと鍔部５ａが嵌まるスペ−ス６ｅが形成され、さらに筒部６ａに円板６ｆと一対のＬ字形の腕部６ｇ、６ｇと鈎部６ｈ、６ｈが形成されている。
鈎部６ｈ、６ｈは軸筒部４ａの両側から突出した回り止めピン５の両端に係止され回り止めピン５の軸方向移動を規制することで抜け止め支持している。
他の構成は前記第１実施例と略同一である。
【図面の簡単な説明】
【００２３】
【図１】第１実施例で、魚釣用スピニングリ−ルの要部断面側面図である。
【図２】同スプ−ルの拡大要部断面側面図である。
【図３】同スプ−ルの更に要部拡大断面側面図である。
【図４】同スプ−ル軸と軸筒部とカラ−部材断面の背面図である。
【図５】同スプ−ル軸と軸筒部の拡大側面図である。
【図６】同スプ−ル軸と軸筒部とカラ−部材の他の拡大要部断面側面図である。
【図７】第２実施例で、スプ−ル軸と軸筒部とカラ−部材の他の拡大要部断面側面図である。
【図８】第３実施例で、スプ−ル軸と軸筒部とカラ−部材の拡大要部断面側面図である。
【図９】同スプ−ル軸と軸筒部とカラ−部材の他の拡大要部側面図である。
【図１０】同カラ−部材の平面図である。
【符号の説明】
【００２４】
１  リ−ル本体
３  スプ−ル軸
４  スプ−ル
４ａ  軸筒部
４ｂ  係合部
５  回り止めピン
６  カラ−部材
【図１】
2006087357.tif 000003
【図２】
2006087357.tif 000004
【図３】
2006087357.tif 000005
【図４】
2006087357.tif 000006
【図５】
2006087357.tif 000007
【図６】
2006087357.tif 000008
【図７】
2006087357.tif 000009
【図８】
2006087357.tif 000010
【図９】
2006087357.tif 000011
【図１０】
2006087357.tif 000012